(57)【要約】  本発明は情報処理方法と装置に関するものであって、コンピューターテクノロジーの分野に属する。この方法は、ユーザーによりコンピューターソフトウェアの表示インターフェースに入力された情報を受信し、前記表示インターフェースに入力された情報に基づいて決済用の情報を生成する。コンピューターソフトウェアのインターフェース上で決済用の情報を生成し、ユーザーはコンピューターソフトウェア上で表示された決済用の情報に基づいて直接決済操作を実現させることができ、コンピューターの機能を広げる。
2018500612.tif 000002
【特許請求の範囲】
【請求項１】
端末に用いられる情報処理方法であって、
ユーザーによりコンピューターソフトウェアの表示インターフェースに入力された情報を受信するステップと、
前記表示インターフェースに入力された情報に基づいて決済用の情報を生成するステップと、を含むことを特徴とする情報処理方法。
【請求項２】
前記表示インターフェースに入力された情報に基づいて決済用の情報を生成するステップは、
前記表示インターフェースに入力された情報に基づいて決済用のＱＲコード（登録商標）情報を生成するステップを含むことを特徴とする請求項１に記載の情報処理方法。
【請求項３】
前記表示インターフェースに入力された情報に基づいて決済用の情報を生成するステップは、
前記端末に決済用ソフトウェアがインストールされているかどうかを確定するステップと、
前記端末に決済用ソフトウェアがインストールされている場合、前記表示インターフェースに前記決済用ソフトウェアのマークを表示するステップと、
前記決済用ソフトウェアを利用するかどうかのヒントを前記ユーザーに与えるステップと、を含むことを特徴とする請求項１に記載の情報処理方法。
【請求項４】
前記決済用ソフトウェアを利用するかどうかのヒントを前記ユーザーに与える前に、前記方法は、
前記ユーザーにより入力された情報が数式である場合、前記端末における決済用ソフトウェアを立上げ、前記数式の計算結果を前記決済用ソフトウェアに送信し、前記決済用ソフトウェアによって前記計算結果を処理するステップと、
前記ユーザーにより入力された情報が数字である場合、前記端末における決済用ソフトウェアを立上げ、前記数字を前記決済用ソフトウェアに送信し、前記決済用ソフトウェアで前記数字を処理するステップと、をさらに含むことを特徴とする請求項３に記載の情報処理方法。
【請求項５】
前記決済用ソフトウェアを利用するかどうかのヒントを前記ユーザーに与えるステップは、
前記決済用ソフトウェアで前記計算結果や前記数字の振替操作または決済操作を行うかどうかのヒントを前記ユーザーに与えるステップを含むことを特徴とする請求項４に記載の情報処理方法。
【請求項６】
前記ユーザーが前記決済用ソフトウェアを前記計算結果や前記数字の振替操作または決済操作を行うものとして選択した場合、前記決済用ソフトウェアを立上げ、振替または決済の操作を完成させるように前記振替または決済の対象を選択するためのヒントをユーザーに与えるステップ、をさらに含むことを特徴とする請求項５に記載の情報処理方法。
【請求項７】
端末に用いられる情報処理装置であって、
ユーザーによりコンピューターソフトウェアの表示インターフェースに入力された情報を受信するように構成される情報受信モジュールと、
前記表示インターフェースに入力された情報に基づいて決済用の情報を生成するように構成される情報処理モジュールと、を備えることを特徴とする情報処理装置。
【請求項８】
前記情報処理モジュールは、前記表示インターフェースに入力された情報に基づいて決済用のＱＲコード（登録商標）情報を生成することを特徴とする請求項７に記載の情報処理装置。
【請求項９】
前記情報処理モジュールは、
前記端末に決済用のソフトウェアがインストールされているかどうかを確認するように構成される確認サブモジュールと、
前記端末に決済用のソフトウェアがインストールされている場合、前記表示インターフェースに前記決済用ソフトウェアのマークを表示し、ユーザーに前記決済用ソフトウェアを利用するかどうかのヒントを与えるように構成される情報プロンプトサブモジュールと、を備えることを特徴とする請求項７に記載の情報処理装置。
【請求項１０】
前記ユーザーにより入力された情報が数式である時、前記端末における決済用ソフトウェアを立上げ、前記数式の計算結果を前記決済用ソフトウェアに送信し、前記決済用ソフトウェアで前記計算結果を処理し、前記ユーザーにより入力された情報が数字である場合、前記端末における決済用ソフトウェアを立上げ、前記数字を前記決済用ソフトウェアに送信し、前記決済用ソフトウェアで前記数字を処理するように構成されるアプリケーション立上げモジュールをさらに備えることを特徴とする請求項９に記載の情報処理装置。
【請求項１１】
前記情報プロンプトサブモジュールは、決済用ソフトウェアを利用して前記計算結果または数字の振替操作または決済操作を行うかどうかのヒントを前記ユーザーに与えるように構成されることを特徴とする請求項１０に記載の情報処理装置。
【請求項１２】
前記ユーザーが前記決済用ソフトウェアを前記数式の計算結果や前記数字の振替操作または決済操作を行うものとして選択した場合、決済用ソフトウェアを立上げ、振替または決済操作を完成させるように振替または決済の対象を選択するためのヒントをユーザーに与えるための振替決済モジュール、をさらに備えることを特徴とする請求項１１に記載の情報処理装置。
【請求項１３】
プロセッサーと、
前記プロセッサーが実行可能な指令を保存するためのメモリとを含み、
前記プロセッサーは、
ユーザーによりコンピューターソフトウェアの表示インターフェースに入力された情報を受信し、
前記表示インターフェースに入力された情報に基づいて決済用の情報を生成するように構成されることを特徴とする情報処理装置。
【発明の詳細な説明】
【技術分野】
【０００１】
本発明はコンピューターテクノロジー分野に関し、特に情報処理方法および装置に関する。
【背景技術】
【０００２】
端末技術の発展に伴い、ユーザーが端末にインストールされた多様なアプリケーションプログラムを利用して各種の操作、例えば、ショートメッセージ、計算、決済、振替などを行うことができるため、ユーザーの生活に極めて大きな利便性を与えている。そのうち、コンピューターは日常計算の常用道具としてユーザに広く使用されている。既存のコンピューターは計算機能のみをサポートするため、機能が比較的単一である。
【発明の概要】
【発明が解決しようとする課題】
【０００３】
本発明の実施例は情報処理方法と装置を提供する。その解決手段としては次の通りである。
【課題を解決するための手段】
【０００４】
本開示の実施例の第１の態様によれば、端末に用いられる情報処理方法を提供する。前記方法は、
ユーザーによりコンピューターソフトウェアの表示インターフェースに入力された情報を受信するステップと、
前記表示インターフェースに入力された情報に基づいて決済用の情報を生成するステップと、を含む。
【０００５】
好ましくは、前記表示インターフェースに入力された情報に基づいて決済用の情報を生成するステップは、
表示インターフェースに入力された情報に基づいて決済用ＱＲコード（登録商標）情報形成するステップ、を含む。
【０００６】
好ましくは、前記表示インターフェースに入力された情報に基づいて決済用の情報を生成するステップは、
前記端末に決済用のソフトウェアがインストールされているかどうかを確認するステップと、
前記端末に決済用のソフトウェアがインストールされている場合、前記表示インターフェースに前記決済用ソフトウェアのマークを表示するステップと、
前記ユーザーに前記決済用のソフトウェアを利用するかどうかのヒントを与えるステップと、を含む。
【０００７】
好ましくは、前記ユーザーに前記決済用ソフトウェアを利用するかどうかのヒントを与える前に、前記方法は、
前記ユーザーにより入力された情報が数式である場合、前記端末における決済用ソフトウェアを立上げ、前記数式の計算結果を前記決済用ソフトウェアに送信し、前記決済用ソフトウェアで前記計算結果を処理するステップと、
ユーザーにより入力された情報が数字である場合、前記端末における決済用ソフトウェアを立上げ、前記決済用ソフトウェアで前記数字を処理するステップと、をさらに含む。
【０００８】
好ましくは、前記ユーザーに前記決済用ソフトウェアを利用するかどうかのヒントを与えるステップは、
前記決済用ソフトウェアを利用して前記計算結果や前記数字の振替操作または決済操作を行うかどうかのヒントを前記ユーザーに与えるステップ、を含む。
【０００９】
好ましくは、前記方法は、
前記ユーザーが前記決済用ソフトウェアを前記計算結果や前記数字の振替操作または決済操作を行うものとして選択した場合、前記決済用ソフトウェアを立上げ、振替または決済操作を完成させるように、振替または決済の対象を選択するためのヒントをユーザーに与えるステップ、をさらに含む。
【００１０】
本開示の実施例の第２の態様によれば、端末に用いられる情報処理装置を提供する。前記装置は、
ユーザーによりコンピューターソフトウェアの表示インターフェースに入力された情報を受信するように構成される情報受信モジュールと、
前記表示インターフェースに入力された情報に基づき決済用の情報を生成するように構成される情報処理モジュールと、を備える。
【００１１】
好ましくは、情報処理モジュールは、前記表示インターフェースに入力された情報に基づいて決済用のＱＲコード（登録商標）情報を生成する。
【００１２】
好ましくは、情報処理モジュールは、
前記端末に決済用ソフトウェアがインストールされているかどうかを確認するように構成される確認サブモジュールと、
前記端末に決済用のソフトウェアがインストールされている場合、前記表示インターフェースに決済用ソフトウェアのマークを表示し、前記ユーザーに前記決済用ソフトウェアを利用するかどうかのヒントを与えるように構成される情報プロンプトサブモジュールと、を備える。
【００１３】
好ましくは、前記装置は、
前記ユーザーにより入力された情報が数式である場合、前記端末における決済用ソフトウェアを立上げ、前記数式の計算結果を前記決済用ソフトウェアに送信し、前記決済用ソフトウェアで前記計算結果を処理し、前記ユーザーにより入力された情報が数字である場合、前記端末における決済用ソフトウェアを立上げ、前記数字を前記決済用ソフトウェアに送信し、前記決済用ソフトウェアで前記数字を処理するように構成されるアプリケーション立上げモジュール、をさらに備える。
【００１４】
好ましくは、前記情報プロンプトサブモジュールは、前記決済用ソフトウェアを利用して前記計算結果や数字の振替操作または決済操作を行うかどうかのヒントを前記ユーザーに与える。
【００１５】
好ましくは、前記装置は、
前記ユーザーが前記決済用ソフトウェアを前記計算結果や数字の振替操作または決済操作を行うものとして選択した場合、前記決済用ソフトウェアを立上げ、振替または決済の操作を完成させるように、振替または決済の対象を選択するためのヒントをユーザーに与える振替決済モジュール、をさらに備える。
【００１６】
本開示の実施例の第２の態様によれば、情報処理装置を提供する。前記装置は、
プロセッサーと、
プロセッサーが実行可能な指令を記憶するメモリと、を備え、
前記プロセッサーは、
ユーザーによりコンピューターソフトウェアの表示インターフェースに入力された情報を受信し、
表示インターフェースに入力された情報に基づいて決済用の情報を生成するように構成される。
【発明の効果】
【００１７】
本発明の実施例例にかかる解決手段は次の有益な効果を含むことができる。
【００１８】
本発明によれば、ユーザーによりコンピューターソフトウェアの表示インターフェースに入力された情報を受信し、前記表示インターフェースに入力された情報に基づいて決済用の情報が形成され、コンピューターソフトウェアのインターフェースに決済用の情報を生成することができる。これにより、ユーザーが表示された決済用の情報に基づいて、コンピューターソフトウェアにおいて、決済操作を直接に実行させることができ、コンピューターの機能を広げる。
【００１９】
上記の一般的記述と後述の細部記述は単に例示性と説明性のものに過ぎず、本発明を制限するものではないことを理解すべきである。
【図面の簡単な説明】
【００２０】
ここでの図面は、明細書に取り込まれ、かつ本明細書の一部を構成するものであり、本開示に適した実施例を示し、かつ、明細書とともに本開示の仕組みを解釈するのに用いる。
【図１】一例示性実施例によって例示された情報処理方法のフローチャートである。
【図２】一別の例示性実施例によって例示された情報処理方法のフローチャートである。
【図３】一例示性実施例によって例示された情報処理装置のブロック図である。
【図４】一別の例示性実施例によって例示された情報処理装置のブロック図である。
【図５】一別の例示性実施例によって例示された情報処理装置のブロック図である。
【図６】一例示性実施例によって例示された情報処理装置のブロック図である。
【００２１】
これらの図面と文字記述は、特定の実施例を通じて当分野の技術者に本発明の概念を説明するためのものであり、いかなる形式を通じて本発明の構造範囲を制限するものではない。
【発明を実施するための形態】
【００２２】
ここで例示性実施例を詳しく説明するが、例示を図に示している。以下の記述が図に係る場合、別途に示さない限り、異なる図面における同じ数字は、同じまたは類似する要素を表す。以下の例示性実施例に記述した実施形態は、本発明と一致する全ての実施形態を代表するものではない。逆に、それらは、添付の特許請求書に詳細に記載しているように、単に本発明の一部の態様と一致する装置および方法の例に過ぎない。
【００２３】
図１は、一例示性実施例によって示された情報処理方法のフローチャートであり、本実施例は本情報処理方法を、たとえば携帯電話、タブレットＰＣあるいはスマートテレビなどの端末にアプリケーションする例を通じて説明する。図１によれば、当該情報処理方法は次のいくつかのステップを含んでもよい。
【００２４】
ステップ１０１では、ユーザーによりコンピューターソフトウェアの表示インターフェースに入力された情報を受信する。
【００２５】
ステップ１０２では、前記表示インターフェースに入力された情報に基づいて決済用情報を生成する。
【００２６】
当該解決手段によれば、ユーザーによりコンピューターソフトウェアの表示インターフェースに入力された情報を受信し、前記表示インターフェースに入力された情報に基づいて決済用の情報を生成し、コンピューターソフトウェアのインターフェースに決済用の情報を生成することができる。これにより、ユーザーがコンピューターソフトウェア上で表示された決済用情報に基づいて、直接決済操作を実現させることができ、コンピューターの機能を広げる。
【００２７】
１つの実施例において、表示インターフェースに入力された情報に基づいて決済用情報を生成することは、
表示インターフェースに入力された情報に基づいて決済用ＱＲコード（登録商標）情報を生成することを含んでもよい。例えば、コンピューターソフトウェアに入力された数字あるいは計算によって得られた計算結果に基づいて決済用のＱＲコード（登録商標）情報を生成し、かつ形成されたＱＲコード（登録商標）情報を前記表示インターフェースの所定位置に表示することができる。このようにして、その他のユーザーは決済用のソフトウェアで決済用ＱＲコード（登録商標）をスキャンして決済を実現させることができる。
【００２８】
もう１つの実施例において、前記表示インターフェースに入力された情報に基づいて決済用情報を生成することは、
前記端末に決済用のソフトウェアがインストールされているかどうかを確認し、
前記端末に決済用のソフトウェアがインストールされている場合、前記表示インターフェースに決済用ソフトウェアのマークを表示し、
決済用のソフトウェアを利用するかどうかのヒントを前記ユーザーに与える、ことを含む。
【００２９】
当該解決手段によれば、ユーザーによりコンピューターソフトウェアの表示インターフェースに入力された情報を受信し、前記端末に決済用のソフトウェアがインストールされているどうかを確認し、前記端末に決済用のソフトウェアがインストールされている場合、前記表示インターフェースに前記決済用ソフトウェアのマークを表示する。これにより、ユーザーはコンピューターソフトウェア上で表示された決済用ソフトウェアのマークをクリックして、決済操作を直接に実行実現できるようになり、コンピューター機能を広げる。
【００３０】
図２はもう１つの例示性実施例によって示された情報処理方法のフローチャートで、本実施例の当該情報処理方法を、たとえば携帯電話、タブレットＰＣあるいはスマートテレビなどの端末にアプリケーションする、例を挙げて説明したものである。図２によれば、当該情報処理方法は次のいくつかのステップを含んでもよい。
【００３１】
ステップ２０１において、ユーザーによりコンピューターソフトウェアの表示インターフェースに入力された情報を受信する。
【００３２】
ステップ２０２において、前記端末に決済用ソフトウェアがインストールされているかどうかを確認する。
【００３３】
ステップ２０３において、前記端末に決済用ソフトウェアがインストールされている場合、前記表示インターフェースに前記決済用ソフトウェアのマークを表示する。
【００３４】
ステップ２０４において、前記決済用ソフトウェアを利用するかどうかのヒントを前記ユーザーに与える。
【００３５】
本解決手段において、ユーザーに前記決済用ソフトウェアを利用するかどうかのヒントを与える前に、前記方法は、
前記ユーザーにより入力された情報が数式である場合、前記端末における決済用ソフトウェアを立上げ、前記数式の計算結果を前記決済用ソフトウェアに送信し、前記決済用ソフトウェアで前記計算結果を処理するステップと
ユーザーにより入力された情報が数字である場合、前記端末における決済用ソフトウェアを立上げ、前記数字を前記決済用ソフトウェアに送信し、前記決済用ソフトウェアで前記数字を処理するステップと、をさらに含む。
【００３６】
好ましくは、前記ユーザーに前記決済用ソフトウェアを利用するかどうかのヒントを与えるには、
前記ユーザーに決済用ソフトウェアで前記計算結果や前記数字の振替操作または決済操作を行うかどうかのヒントを与えることを含む。
【００３７】
好ましくは、前記方法は、前記ユーザーが前記決済用ソフトウェアを前記計算結果や前記数字の振替操作または決済操作を行うものとして選択した場合、前記決済用ソフトウェアを立上げ、振替または決済操作を完成させるように、振替または決済の対象を選択するためのヒントをユーザーに与えるステップをさらに含む。
【００３８】
本解決手段によれば、コンピューターソフトウェアと決済用ソフトウェア間のインターフェースを開放し、ユーザーがコンピューターで計算あるいは数字の入力を行った後、ローカルに決済用のソフトウェアがインストールされているならば、コンピューターの入力インターフェースに当該決済用ソフトウェアのマーク（例えば決済用ソフトウェアのアイコン）が表示され、そしてユーザーに相応金額の振替操作を行うかどうかのヒントを与える。こうすることにより、コンピューターのソフトウェアで計算の以外の決済機能を実現させることができ、コンピューターソフトウェアの機能を広げる。
【００３９】
次に具体的なアプリケーション場面を以って前記図２で示した前記解決手段の実現を詳しく説明する。
【００４０】
例えば、ユーザーがコンピューターのインターフェースに数式“１２０割る３”を入力し、当該コンピューターは当該計算結果を“４０”と計算し、当該コンピューターのインターフェースに当該計算結果を表示するほか、ローカルに決済用のソフトウェアがダウンロードされているかどうかを判断する。ローカルに決済用ソフトウェアがダウンロードされている場合、コンピューターのインターフェースに当該決済用ソフトウェアのマークが表示され、ユーザーに選択したうえ利用してもらう。あるいは、ユーザーに金額“４０”の振替操作を行うかどうかのヒントを与え、ユーザーが振替操作を選択した場合、現行のコンピューターのインターフェースから決済操作ステップのインターフェースに切り替え、ユーザーに振替の対象を選ぶようにヒントを与え、振替操作を完成させる。
【００４１】
上述のように、本解決手段はユーザーによりコンピューターソフトウェアの表示インターフェースに入力された情報を受信し、前記端末に決済用のソフトウェアがインストールされているかどうかを確認し、前記端末に決済用ソフトウェアがインストールされている場合、前記表示インターフェースに決済用ソフトウェアのマークを表示する。これにより、ユーザーにコンピューターソフトウェア上で表示された決済用ソフトウェアのマークに基づいて決済用ソフトウェアを立上げ、決済操作を実現させ、コンピューターの機能を広げる。
【００４２】
次の本発明装置の実施例は、本発明の方法実施例の実行に用いることができる。本発明装置の実施例が披露していない細部については、本発明方法の実施例を参照されたい。
【００４３】
図３は例示性実施例に示した情報処理装置３００のブロック図である。当該情報処理装置３００はソフトウェア、ハードウエアあるいは両者の組合せを通じて端末の一部または全部をなすことができる。当該端末は携帯電話、タブレットＰＣあるいはスマートテレビである。
【００４４】
当該情報処理装置３００は、ユーザーによりコンピューターソフトウェアの表示インターフェースに入力された情報を受信するように構成される情報受信モジュール３０１と、前記表示インターフェースに入力された情報に基づいて決済用情報を生成するように構成される情報処理モジュール３０２と、を含む。
【００４５】
好ましくは、情報処理モジュール３０２は、具体に前記表示インターフェースに入力された情報に基づいて決済用ＱＲコード（登録商標）情報を生成するために構成することができる。
【００４６】
本解決手段によれば、ユーザーによりコンピューターソフトウェアの表示インターフェースに入力された情報を受信し、前記表示インターフェースに入力された情報に基づいて決済用の情報を生成し、コンピューターソフトウェアの表示インターフェース上で決済用情報を生成することができる。これにより、ユーザーはコンピューターソフトウェア上で表示された決済用情報に基づいて、直接決済操作を実現させることができ、コンピューターの機能を広げる。
【００４７】
図４はもう１つの例示性実施例に示した情報処理装置４００のブロック図である。当該情報処理装置４００はソフトウェア、ハードウエアあるいは両者の組合せを通じて端末の一部または全部をなすことができ、当該端末は携帯電話、タブレットＰＣあるいはスマートテレビである。
【００４８】
当該情報処理装置４００は、ユーザーによりコンピューターソフトウェアの表示インターフェースに入力された情報を受信するように構成される情報受信モジュール４０１と、前記表示インターフェースに入力された情報に基づいて決済用情報を生成するように構成される情報処理モジュール４０２と、を含む。
【００４９】
好ましくは、情報処理モジュール４０２は、前記端末に決済用ソフトウェアがインストールされているかどうかを確認するように構成される判断サブモジュールの４０２１と、前記端末に決済用ソフトウェアがインストールされている場合、前記表示インターフェースに決済用ソフトウェアのマークを表示し、前記ユーザーに前記決済用ソフトウェアを利用するかどうかのヒントを与えるための情報プロンプトサブモジュール４０２２を含んでもよい。
【００５０】
図５に示したように、図４に示した情報処理装置４００は、前記ユーザーにより入力された情報が数式である場合、前記端末における決済用ソフトウェアを立上げ、前記数式の計算結果を前記決済用ソフトウェアに送信し、前記決済用ソフトウェアで前記計算結果を処理し、前記ユーザーにより入力された情報が数字である場合、前記端末における決済用ソフトウェアを立上げ、前記数字を決済用ソフトウェアに送信し、前記決済用ソフトウェアで前記数字を処理するアプリケーション立上げモジュール４０３をさらに含んでもよい。
【００５１】
好ましくは、情報プロンプトサブモジュール４０２２は、前記ユーザーに前記決済用ソフトウェアを利用して前記計算結果や前記数字の振替操作または決済操作を行うかどうかのヒントを与えるように構成される。
【００５２】
図５に示したように、情報プロンプトサブモジュール４０２２が前記ユーザーに前記決済用ソフトウェアを利用して前記計算結果や前記数字の振替操作または決済操作を行うかどうかのヒントを与えるように構成される場合、情報処理装置４００は、振替決済モジュール４０４をさらに含んでもよい。
【００５３】
好ましくは、振替決済モジュール４０４は、前記ユーザーが前記決済用ソフトウェアを前記計算結果や前記数字の振替操作または決済操作を行うものとして選択した場合、前記決済用ソフトウェアを立上げ、ユーザーに振替あるいは決済の対象を選択するようにヒントを与え、振替または決済操作を完成させるために構成されてもよい。
【００５４】
本解決手段によれば、コンピューターソフトウェアと決済用ソフトウェア間のインターフェースを開放し、ユーザーがコンピューターで計算した後あるいは数字を入力した後、現地に決済用ソフトウェアがインストールされている場合、コンピューターの入力インターフェースに決済用ソフトウェアのマーク（例えば決済用ソフトウェアのアイコン）が表示され、そしてユーザーに相応金額の振替操作を行うかどうかのヒントを与える。これにより、コンピューターソフトウェアの中で計算以外の決済機能を実現させることができ、コンピューターソフトウェアの機能を広げる。
【００５５】
上述のように、本解決手段によれば、ユーザーによりコンピューターソフトウェアの表示インターフェースに入力された情報を受信し、前記表示インターフェースに入力された情報に基づいて決済用情報を生成し、コンピューターソフトウェアのインターフェース上で決済用情報を生成することができる。これにより、ユーザーがコンピューターソフトウェア上に表示された決済用情報に基づいて、直接決済操作を実現させることができ、コンピューターの機能を広げる。
【００５６】
上述実施例の装置に関して、そのうち、それぞれのモジュールが実行する具体的な形態はすでに当該方法に関連する実施例の中で詳しく説明したので、ここでは詳細に説明しない。
【００５７】
図６は例示性実施例で示した情報処理装置５００のブロック図である。例えば、装置５００は携帯電話、タブレットＰＣあるいはスマートテレビなどの端末装置でよい。
【００５８】
図６に示したように、装置５００は次の処理ユニット５０２、メモリ５０４、電源ユニット５０６、マルチメディアユニット５０８、オーディオユニット５１０、入力／出力（Ｉ／０）インターフェース５１２、センサーユニット５１４、および通信ユニット５１６の１つあるいは複数のユニットを含んでもよい。
【００５９】
処理ユニット５０２は通常装置５００の全体操作、例えば、表示、電話呼び出し、データ通信、カメラ操作および記録操作に関連する操作を制御する。処理ユニット５０２は指令を実行するために１つあるいは複数のプロセッサー５２０を含んでもよく、前記情報処理方法の全部あるいは一部のステップを完成させる。そのほか、処理ユニット５０２は、処理ユニット５０２をその他のユニットと交互しやすくするために、１つあるいは複数のユニットを含んでもよい。例えば、処理ユニット５０２はマルチメディアユニット５０８と処理ユニット５０２を交互しやすくするために、マルチメディアユニットを含んでもよい。
【００６０】
メモリ５０４は装置５００の操作を支える各タイプのデータを保存しするために設置されている。これらのデータ例示は装置５００上で操作するあらゆるアプリケーションあるいは方法指令、担当者データ、電話帳データ、消息、画像、ビデオなどに用いることを含む。メモリ５０４はあらゆるタイプの揮発性あるいは不揮発性メモリあるいはそれらの組合せ、例えば、スタティックＲＡＭ（ＳＲＡＭ）、ＥＥＰ固定メモリ（ＥＥＰＲ０Ｍ）、ＥＰ固定メモリ（ＥＰＲ０Ｍ）、ピーロム（ＰＲ０Ｍ）、固定メモリ（Ｒ０Ｍ）、磁気メモリ、フラッシュメモリ、ディスクあるいは光ディスクで実現させることができる。
【００６１】
電源ユニット５０６は装置５００の各ユニットに電力を提供する。電源ユニット５０６は電源管理システム、１つあるいは複数の電源、および装置５００の形成、管理と電力分配に関連するその他のユニットを含んでもよい。
【００６２】
マルチメディアユニット５０８は装置５００とユーザーの間に出力インターフェースのスクリーンを提供することを含む。いくつかの実施例において、スクリーンは液晶ディスプレイ（ＬＣＤ）とタッチパッド（ＴＰ）を含んでもよい。スクリーンはタッチパッドを含む場合、ユーザーからのインプットシグナルを受信するために、スクリーンはタッチパネルで実現されてもよい。タッチパッドはタッチ、滑りおよびタッチパッド上での合図を感知させるために１つあるいは複数のタッチセンサーを含む。タッチセンサーはタッチあるいは滑り動作の境界を感知できるだけでなく、タッチあるいは滑り操作に関連する持続時間と圧力も検出できる。いくつかの実施例において、マルチメディアユニット５０８は１つの前置カメラと／あるいは後置カメラを含む。装置５００が操作モード、例えば、撮影モードあるいはビデオモードに置かれたとき、前置カメラと／あるいは後置カメラは外部のマルチメディアのデータを受信することができる。それぞれの前置カメラと後置カメラのレンズは固定的な光学レンズ系あるいは焦点距離および光学ズームの性能を有するレンズでよい。
【００６３】
オーディオユニット５１０はオーディオシグナルを出力と／あるいは入力するために構成されている。例えば、オーディオユニット５１０は１つのマイク（ＭＩＣ）を含み、装置５００が操作モード、例えば呼び出しモード、記録モードおよび音声識別モードに置かれた時、マイクは外部のオーディオシグナルの受信に構成される。受信したオーディオシグナルはさらにメモリ５０４に保存されるか、あるいは通信ユニット５１６を介して発信されてもよい。いくつかの実施例において、オーディオユニット５１０はさらに１つのスピーカーを含み、オーディオシグナルの出力に用いる。
【００６４】
Ｉ／０インターフェース５１２は処理ユニット５０２と周りのインターフェースユニットの間にインターフェースを提供し、前記周りのインターフェースユニットはキーボード、クリックホイール、押しボタンなどでよい。これらのボタンはホームボタン、音量ボタン、スタートボタンおよびロックボタンを含んでもよいが、それらに制限されるものではない。
【００６５】
センサーユニット５１４は１つあるいは複数のセンサーを含み、装置５００に各方面の状態評価を提供するために用いる。例えば、センサーユニット５１４は装置５００のオン／オフ状態、ユニットの相対的位置を検出することができ、例えばユニットは装置５００のディスプレイとキーパッドであり、センサーユニット５１４はさらに装置５００あるいは装置５００の１つのユニットの位置変更、ユーザーと装置５００との接触が存在するかどうか、装置５００の方位あるいは加速／減速と装置５００の温度変化を検出することができる。センサーユニット５１４はいかなる物理的接触もない時に付くにある物体の存在を検出するように構成される接近センサーへの接近を含んでもよい。センサーユニット５１４はさらにイメージアプリケーションに用いる光センサー、例えばＣＭ０ＳあるいはＣＣＤイメージセンサーを含んでもよい。いくつかの実施例において、当該センサーユニット５１４はさらに加速度センサー、ジャイロスコープセンサー、磁気センサー、圧力センサーあるいは温度センサーを含んでもよい。
【００６６】
通信ユニット５１６は装置５００とその他の設備間の有線あるいは無線方式での通信を行いやすくするために構成されている。装置５００は通信標準に基づく無線ネット、例えばＷｉＦｉ、２Ｇあるいは３Ｇ、あるいはそれらの組合せに接続してもよい。１つの例示性実施例において、通信ユニット５１６は放送型通信チャンネルを介して外部からの放送管理システムのアナウンス信号あるいは放送関連の情報を受信している。１つの例示性実施例において、通信ユニット５１６はさらに短距離通信を促進するためのニアフィールド通信（ＮＦＣ）モジュールを含む。例えば、ＮＦＣモジュールにおいて、アールエフアイディー（ＲＦＩＤ）技術、アイアールディーエイ（ＩＲＤＡ）技術、超広帯域無線通信（ＵＷＢ）技術、ブルートゥース（登録商標）（ＢＴ）技術およびその他の技術によって実現されることができる。
【００６７】
例示性実施例において、装置５００は前記の情報処理方法を実行するために、１つあるいは複数の専用集積回路（ＡＳＩＣ）、デジタル・シグナル・プロセッサー（ＤＳＰ）、ディジタル信号処理設備（ＤＳＰＤ）、プログラマブルロジックデバイス（ＰＬＤ）、現場がプログラミングすることができるゲートアレイ（ＦＰＧＡ）、コントローラ、マイクロコントローラー、マイクロ・プロセッサあるいはその他の電子部品によって実現されることができる。
【００６８】
例示性実施例において、さらに指令を含む非一時性コンピューターは記憶媒体を読み取ることができ、例えば指令を含むメモリ５０４、前記指令は装置５００のプロセッサー５２０によって実行され、前記情報処理を完成させる方法を提供している。例えば、非一時性コンピューターが読み取れる記憶媒体はＲ０Ｍ、ランダムアクセスメモリ（ＲＡＭ）、ＣＤ―Ｒ０Ｍ、テープ、フロッピー（登録商標）ディスクおよび光データ記憶装置などでよい。
【００６９】
非一時性コンピューターは記憶媒体を読み取ることができ、記憶媒体の指令が装置５００のプロセッサーによって実行される場合、装置５００は前記情報処理方法を実行することができる。
【００７０】
本開示が以上で記載され、且つ図面に示された正確な構造に限定されることなく、その要旨を逸脱しない範囲で様々な補正や変更も可能であることを理解すべきである。本開示の範囲は、添付する特許請求の範囲のみによって限定される。
【００７１】
本願は出願番号２０１５１０８６６５４９３、出願日２０１５年１２月１日の中国特許出願に基づいて提出するものであり、当該中国特許出願の優先権を主張し、当該中国特許出願の全ての内容を、参照のため本願に援用した。
【図１】
2018500612.tif 000003
【図２】
2018500612.tif 000004
【図３】
2018500612.tif 000005
【図４】
2018500612.tif 000006
【図５】
2018500612.tif 000007
【図６】
2018500612.tif 000008
【国際調査報告】
2018500612.tif 000009
2018500612.tif 000010
2018500612.tif 000011
2018500612.tif 000012